(57)【要約】【課題】施工効率を向上させることで、施工にかかるコストや工期を低減することができ、さらに各層の構造及び内部構成を用途に合わせて任意に変更することができ、デザインの自由度を高めることが可能となる。【解決手段】任意な形状に形成された複数の木造ピースを枠状に組み合わせて空間を形成した外殻体を構成するとともに、上下方向Ｙに積層された箱状の木造ユニット２と、積層された木造ユニット２同士を層間変位自在に設けるとともに、上下方向に連結する柔節構造部１０と、を備え、柔節構造部１０は、上下に積層される木造ユニット２、２同士の間に介装されたロッキング支承３と、最下層の第５木造ユニット２Ｅから最上層の第１木造ユニット２Ａを上下方向Ｙに貫通するとともに、基礎部１１と最上層の第１木造ユニット２Ａとを連結した係留索４と、を備えた構成の木造積層建築物を提供する。【選択図】図１
2018009360.tif 000002
【特許請求の範囲】
【請求項１】
任意な形状に形成された複数の木造ピースを枠状に組み合わせて空間を形成した外殻体を構成するとともに、上下方向に積層された箱状の木造ユニットと、
積層された前記木造ユニット同士を層間変位自在に設けるとともに、上下方向に連結する柔節構造部と、
を備えていることを特徴とする木造ユニットを用いた木造積層建築物。
【請求項２】
前記柔節構造部は、
前記木造ユニット同士の間に介装され、水平力を受けることで水平方向を回転軸にして回転し水平方向及び鉛直方向に変位を生じるとともに、支持する前記木造ユニットの鉛直力に応じた復元力によって元の姿勢に復元する木製の支承装置と、
上下に積層される複数層の前記木造ユニット同士を連結する係留索と、
を備えたことを特徴とする請求項１に記載の木造ユニットを用いた木造積層建築物。
【請求項３】
前記係留索の下端は、当該木造積層建築物の基礎部に連結されていることを特徴とする請求項２に記載の木造ユニットを用いた木造積層建築物。
【請求項４】
複数層の前記木造ユニットのうち少なくとも１つが他の前記木造ユニットと異なる形状であることを特徴とする請求項１乃至３のいずれか１項に記載の木造ユニットを用いた木造積層建築物。
【請求項５】
前記木造ユニットの内部空間には、該内部空間を上下に仕切る中間床が設けられていることを特徴とする請求項１乃至４のいずれか１項に記載の木造ユニットを用いた木造積層建築物。
【請求項６】
前記木造ユニットの内部空間には、該木造ユニットの天版及び底版に接続される内部柱が設けられていることを特徴とする請求項１乃至５のいずれか１項に記載の木造ユニットを用いた木造積層建築物。
【請求項７】
請求項１乃至６のいずれか１項に記載の木造ユニットを積層させることで木造積層建築物の施工方法であって、
先行木造ユニットを地組する工程と、
前記先行木造ユニットを１層以上の高さに上昇させる工程と、
上昇した前記先行木造ユニットの下方スペースにおいて、前記先行木造ユニットの下層に位置する後行木造ユニットを地組する工程と、
前記先行木造ユニットを下降させて地組した前記後行木造ユニット上に前記柔節構造部を介装させた状態で一体的に連結する工程と、
一体的に連結された前記先行木造ユニット及び前記後行木造ユニットを１層以上の高さに上昇させる工程と、
を有し、
前記工程を順次繰り返すことで、複数の前記木造ユニットを下側から順次積層し、積層された複数層の前記木造ユニットを上下方向に連結することを特徴とする木造積層建築物の施工方法。
【発明の詳細な説明】
【技術分野】
【０００１】
本発明は、木造ユニットを用いた木造積層建築物、及び木造積層建築物の施工方法に関する。
【背景技術】
【０００２】
従来、木造の積層構造としては、例えば特許文献１に示されるような社寺等における五重塔等の木造多重塔による伝統木造建築が知られている。
このような木造多重塔は、内部中心に吹き抜けが形成されて階層を重ねた塔身と、その塔身の吹き抜け状の内部中心に設けられた木製心柱と、を有する。木製心柱は、下端部が地上から自立しており、階層間で層間変位が生じたときの各層の浮き上がりを抑制する機能を有している。
【先行技術文献】
【特許文献】
【０００３】
【特許文献１】特開２０１２−１１７２８６号公報
【発明の概要】
【発明が解決しようとする課題】
【０００４】
しかしながら、従来の高層建物の場合には、タワークレーン等を使用して下層から上層に向けて順次積層しながら構築していくため、施工効率が悪く、施工にかかるコストや工期が増えるという問題があった。
また、木造建築物を高層化するための構造として、従来、コアウォール構造や耐力壁併用のラーメン構造等がある。しかしながら、構造が複雑なうえ木造であるので建築物の用途や機能に合わせたデザインの自由度が小さいという課題があり、その点で改善の余地があった。
【０００５】
本発明は、上述する問題点に鑑みてなされたもので、施工効率を向上させることで、施工にかかるコストや工期を低減することができ、さらに各層の構造及び内部構成を用途に合わせて任意に変更することができ、デザインの自由度を高めることが可能となる木造ユニットを用いた木造積層建築物、及び木造積層建築物の施工方法を提供することを目的とする。
【課題を解決するための手段】
【０００６】
上記目的を達成するため、本発明に係る木造ユニットを用いた木造積層建築物は、任意な形状に形成された複数の木造ピースを枠状に組み合わせて空間を形成した外殻体を構成するとともに、上下方向に積層された箱状の木造ユニットと、積層された前記木造ユニット同士を層間変位自在に設けるとともに、上下方向に連結する柔節構造部と、を備えていることを特徴としている。
【０００７】
本発明では、複数の木造ピースを枠状に組み合わせて外殻体を構成した木造ユニットがユニット化されているので、全体の剛性を確保しつつも、木製により軽量な構造となることから、木造ユニットを例えば積み木のように積み上げた構造となり、複数層にわたる積層構造を実現することができる。そして、木造ユニットがユニット化されているので、効率よく施工を行うことができ、施工にかかるコストや工期を低減することが可能となる。
また、木造ピースを組み合わせることで木造ユニットが構成されるため、建築物の用途や機能に合わせて自由な形状で、任意の箇所に自由に開口部等を設けた木造ユニットを形成することができる。
【０００８】
さらに、本発明では、柔節構造部によって木造ユニット同士を層間変位自在に設けるとともに、上下方向に連結する構成となるので、木造積層建築物を高さ方向に分節して柔らかい層を設けた構造となる。そのため、質量の偏在が平面的な捻れ挙動に繋がり難い構造となることから、上下に隣り合う木造ユニットを互いに水平方向にずらした状態で積層することが可能となり、これにより光や風を取り入れることが可能な多様な空間を実現することができる。
【０００９】
また、本発明に係る木造ユニットを用いた木造積層建築物は、前記柔節構造部は、前記木造ユニット同士の間に介装され、水平力を受けることで水平方向を回転軸にして回転し水平方向及び鉛直方向に変位を生じるとともに、支持する前記木造ユニットの鉛直力に応じた復元力によって元の姿勢に復元する木製の支承装置と、上下に積層される複数層の前記木造ユニット同士を連結する係留索と、を備えたことを特徴とすることができる。
【００１０】
このような構造によれば、積層される木造ユニット同士の間に木製の支承装置が設けられているので、地震力が作用した際に、水平力を受けると支承装置が回転して水平方向及び鉛直方向の変位を生じ、支持する鉛直力に応じた復元力で戻る作用が働く。そして、複数層に設けられる支承装置の回転による大きな層間変位を累積して木造積層建築物を長周期化することができる。
また、複数層の木造ユニット同士を連結する係留索が設けられているので、係留索によって繋がれた木造ユニットの転倒を抑制することができる。そして、木造ユニット同士を連結する係留索が地震時に引張軸力を負担するため、軽量な木造ユニットには、地震時に木造ユニットに鉛直変位が生じるが、係留索の引張軸力により木造ユニット同士が互いに引き戻され、木造ユニットの浮き上がりを抑制することができる。
このように、支承装置と係留索とを組み合わせた構成とすることで木造積層建築物の高層化を実現することができる。
【００１１】
また、本発明に係る木造ユニットを用いた木造積層建築物は、前記係留索の下端は、当該木造積層建築物の基礎部に連結されていることが好ましい。
【００１２】
この場合には、基礎部と木造ユニットとを連結する係留索が地震時に引張軸力を負担するため、軽量な木造ユニットには、地震時に木造ユニットに鉛直変位が生じるが、係留索の引張軸力により木造ユニットが基礎部側に引き戻されることとなり、木造ユニットの浮き上がりを抑制することができる。
【００１３】
また、本発明に係る木造ユニットを用いた木造積層建築物は、複数層の前記木造ユニットのうち少なくとも１つが他の前記木造ユニットと異なる形状であってもよい。
【００１４】
この場合には、鉄筋コンクリート造に比べて木造ユニットが軽量であり、鉛直方向の荷重の負担が小さいことから、異なる形状の木造ユニットを積層することが可能となる。
【００１５】
また、本発明に係る木造ユニットを用いた木造積層建築物は、前記木造ユニットの内部空間には、該内部空間を上下に仕切る中間床が設けられていることを特徴としてもよい。
【００１６】
この場合には、木造ユニットにおいて中間床が設けられた複数階（複数のフロア）からなる内部空間を構成することができる。木造ユニットの内部空間内において中間床の位置は任意に設定することが可能であるので、内部空間のデザインの自由度が高い構造となる。
【００１７】
また、本発明に係る木造ユニットを用いた木造積層建築物は、前記木造ユニットの内部空間には、該木造ユニットの天版及び底版に接続される内部柱が設けられていることが好ましい。
【００１８】
本発明では、軽量な木造ユニットの内部空間に天版及び底版に接続される内部柱を設けることで、外殻体としての剛性を高めることができるうえ、軽量化された木造ユニットの鉛直荷重を内部柱を介して下層の木造ユニットに伝達することができる。
【００１９】
また、本発明に係る木造積層建築物の施工方法は、上述した木造ユニットを積層させることで木造積層建築物の施工方法であって、先行木造ユニットを地組する工程と、前記先行木造ユニットを１層以上の高さに上昇させる工程と、上昇した前記先行木造ユニットの下方スペースにおいて、前記先行木造ユニットの下層に位置する後行木造ユニットを地組する工程と、前記先行木造ユニットを下降させて地組した前記後行木造ユニット上に前記柔節構造部を介装させた状態で一体的に連結する工程と、一体的に連結された前記先行木造ユニット及び前記後行木造ユニットを１層以上の高さに上昇させる工程と、を有し、前記工程を順次繰り返すことで、複数の前記木造ユニットを下側から順次積層し、積層された複数層の前記木造ユニットを上下方向に連結することを特徴としている。
【００２０】
本発明では、木造積層建築物が軽量な木造ユニットを複数層に積層する構造となることから、各木造ユニットをジャッキアップする施工が可能となる。したがって、最上層の木造ユニットから順に地組してジャッキアップする手順で、先行木造ユニットの下層側に後行木造ユニットを積層することで効率よく施工することができ、工期の短縮を図ることができる。
このように、本発明では、地組により木造ユニットを組み立てることができ、さらに組み立てた木造ユニットをクレーンで吊り上げるといった作業がなくなるので、大型のタワークレーンを設置する必要がなく、施工にかかるコストを低減できる。
【発明の効果】
【００２１】
本発明の木造ユニットを用いた木造積層建築物、及び木造積層建築物の施工方法によれば、施工効率を向上させることで、施工にかかるコストや工期を低減することができ、さらに各層の内部構成を用途に合わせて任意に変更することができ、デザインの自由度を高めることが可能となる。
【図面の簡単な説明】
【００２２】
【図１】本発明の実施の形態による木造積層建築物の概略構造を示す側面図である。
【図２】木造積層建築物を構成する木造ユニットおよび木造ピースの構成を示す一部破断した斜視図である。
【図３】（ａ）〜（ｄ）は、木造ユニットの内部空間の構成を示す側面図である。
【図４】係留索の機能を説明するための図であり、（ａ）は平常時の木造積層建築物を示す模式図であり、（ｂ）は小変形時の木造積層建築物を示す模式図であり、（ｃ）は大変形時の木造積層建築物を示す模式図である。
【図５】（ａ）〜（ｆ）は、木造積層建築物の施工手順を示す図である。
【発明を実施するための形態】
【００２３】
以下、本発明の実施の形態による木造ユニットを用いた木造積層建築物、及び木造積層建築物の施工方法について、図面に基づいて説明する。
【００２４】
図１に示すように、本実施の形態の木造積層建築物１（木造積層建築物）は、例えばオフィス、教育施設、複合施設等の用途で用いられる高層の木造建築物を対象とし、建物の用途や機能に合わせて各層毎に自由なデザインの空間に設定可能な構造となっている。
【００２５】
木造積層建築物１は、任意な形状に形成された複数の木造ピース２１を枠状に組み合わせて内部空間Ｒを有する外殻を構成するとともに、上下方向Ｙに積層された箱状の木造ユニット２（２Ａ、２Ｂ、…）と、積層された複数層の木造ユニット２同士を層間変位自在に、かつ上下方向に連結する柔節構造部１０と、を備えている。
木造積層建築物１は、本実施の形態では５層の木造ユニット２Ａ、２Ｂ、…２Ｅが積層されており、地盤に設けられた基礎部１１上に設置されている。なお、本実施の形態では、各木造ユニット２Ａ〜２Ｅは、それぞれ同形状で、上方から見た平面視で正方形状をなしている。
【００２６】
木造ユニット２を構成する複数の木造ピース２１は、図２及び図３に示すように、複数種の形状からなる。木造ピース２１は、工場等で製作され、複数枚（ここでは３枚）の板を積層して貼り合せた板状構造をなし、例えば軽量で剛性の高いＣＬＴ板（Ｃｒｏｓｓ Ｌａｍｉｎａｔｅｄ Ｔｉｍｂｅｒ：ひき板を並べた層を板の方向が層ごとに直交するように重ねて接着した大判のパネル材）を採用することができる。なお、木造ピース２１、２１同士は、ボルトや接着材等の適宜な接合手段によって接合される。
【００２７】
具体的に木造ユニット２を構成する天版２２、底版２３、及び側壁２４は、それぞれの壁面から直交方向に立設するリブ２１ａが設けられ、平行に対向させて配置される一対の木造ピース２１のリブ２１ａ同士を係合することで、これら上下一対の木造ピース２１、２１の板面同士の間に空間が形成された中空構造として組み立てられている。
ＣＬＴ板からなる木造ピース２１の大きさとしては、工場から工事現場まで輸送可能な大きさであることが好ましく、例えば最大長さのもので幅３ｍ×長さ１５ｍに設定される。
【００２８】
また、木造ピース２１は、木造ユニット２の適宜な位置に開口部２ａ（図１参照）を形成するように配置可能に設けられている。図１に示す積層された木造ユニット２では、積層された順にそれぞれの開口部２ａの位置が図１の紙面で左右交互に配置されている。
木造ユニット２の天版２２及び底版２３（最上層の第１木造ユニット２Ａの場合は底版２３のみ）には、後述する係留索４が非固着状態で挿通される貫通孔２ｂが複数（ここでは４つ）設けられている。これら貫通孔２ｂは、上方から見た平面視で天版２２及び底版２３のそれぞれの中心から一定の距離だけ離れた位置に設けられ、各層の木造ユニット２における貫通孔２ｂの位置が上下方向Ｙに同軸となるように設けられている。
【００２９】
木造ユニット２の内側の内部空間Ｒには、図２及び図３（ａ）〜（ｄ）に示すように、内部空間Ｒを上下に仕切る中間床２５と、内部空間Ｒの高さ方向に延び天版２２及び底版２３に接続された内部柱２６と、がそれぞれ適宜な位置、形状で設けられている。なお、図３（ａ）〜（ｄ）に示す木造ユニット２は、それぞれ中間床２５が上下に２段ずつ設けられ、各木造ユニット２で３フロア（３階数）が構成されている。
また、木造ユニット２に設けられる内部柱２６としては、例えば図３（ａ）では上方に向けて大径となるラチス柱となっており、図３（ｂ）では斜め柱となっており、図３（ｃ）では上下方向Ｙに延びる小径柱となっており、図３（ｄ）では上下方向Ｙに延びる大径柱となっている。
なお、中間床２５の上下方向Ｙの位置は、中間床２５によって区画されるフロア高さに合わせて自由に設定することができる。
【００３０】
柔節構造部１０は、図１に示すように、上下に積層される木造ユニット２、２同士の間に介装されたロッキング支承３（支承装置）と、最下層の第５木造ユニット２Ｅから最上層の第１木造ユニット２Ａを上下方向Ｙに貫通するとともに、基礎部１１と最上層の第１木造ユニット２Ａとを連結した係留索４と、を備えている。
【００３１】
ロッキング支承３は、上側の木造ユニット２に固定される木製の上部支持体と、下側の木造ユニット２に固定される木製の下部支持体と、これら上部支持体と下部支持体との間で水平方向を回転軸として回転可能に支持される木製の束柱と、を備えた構成となっている。
このような構成のロッキング支承３は、地震時に上下の木造ユニット２、２が水平力を受けると束柱が回転して水平方向及び鉛直方向の変位が生じるとともに、支持する鉛直力に応じた復元力で復元する耐震機能を有している（なお、建物全体を長周期化させるという意味では免震機能を有しているともいえる。）。束柱は、回転により傾斜すると、木製の上部支持体の下面及び下部支持体の上面にめり込みながら、支持する鉛直力に応じた復元力で元の位置に戻る動きをする。
【００３２】
図１に示すように、係留索４は、鋼素線を撚り合わせたストランドワイヤーが用いられ、木造ユニット２の天版２２及び底版２３に設けられる貫通孔２ｂの内面と隙間を有して配置されている。すなわち、係留索４の径は、貫通孔２ｂの径よりも十分に小さい。
係留索４は、上端部４ａが最上層の第１木造ユニット２Ａに連結され、下端部４ｂが基礎部１１に連結されており、地震時には水平変位とロッキング支承３に生じる鉛直変位に応じた引張軸力を負担する。
【００３３】
ここで、ロッキング支承３と係留索４とからなる柔節構造部１０の機能について図４を用いて説明する。図４（ａ）は平常時の木造積層建築物１の状態を示し、図４（ｂ）は小変形時の木造積層建築物１の状態を示し、図４（ｃ）は大変形時の木造積層建築物１の状態を示している。
図４（ｂ）に示すように、小変形時には、図１に示すロッキング支承３の回転により鉛直変位（矢印Ｙ１方向）が生じ、木造ユニット２、２同士の間で水平変位（矢印Ｘ１方向）が生じる。また、係留索４による引張軸力が傾斜復元力を負荷する。
また、図４（ｃ）に示すように、大変形時には、ロッキング支承３の回転により鉛直変位Ｙ１が大きくなるとともに、木造積層建築物１全体で水平変位Ｘ１が生じる。また、係留索４による引張軸力（矢印Ｙ２方向）が木造積層建築物１全体の転倒を抑制する。
【００３４】
次に、上述したような本実施の形態の木造積層建築物１の施工方法について、図面を用いて具体的に説明する。
先ず、図１に示すように、木造積層建築物１の設置する位置で地盤を掘削し、コンクリートを打設することにより基礎部１１が施工される。そして、図５（ａ）、（ｂ）に示すように、基礎部１１上にジャッキアップ装置５を設置し、そのジャッキアップ装置５の周囲に作業構台５０を設置する。ジャッキアップ装置５は、木造ユニット２が配置可能なスペースを有する昇降パレット５１と、昇降パレット５１を上下に移動させるための昇降ジャッキ５２と、作業構台５０の最上部に設置され昇降パレット５１をワイヤで吊り上げ可能とした巻上機５３と、を備えたものである。
ジャッキアップ装置５は、建築対象となる木造積層建築物の全層分の木造ユニットの重量（本実施の形態では５層分の木造ユニット２Ａ〜２Ｅの全重量）を昇降可能な能力を昇降ジャッキ５２及び巻上機５３に備えたものとされる。作業構台５０は、少なくとも１層分の木造ユニット２よりも上方の位置で作業が可能な高さになっている。
【００３５】
図５（ａ）に示すように、第１工程では、ジャッキアップ装置５の第１昇降パレット５１Ａを基礎部１１上に位置する下降位置とした状態で、その第１昇降パレット５１Ａの上で木造積層建築物１の最上層に位置する第１木造ユニット２Ａ（先行木造ユニット）を地組する。具体的には、外殻部を形成するように複数の木造ピース２１を適宜組み合わせて接合し第１木造ユニット２Ａを形成する。なお、図２に示す木造ピース２１は、工場で予め製作されて施工現場に搬送される。その後、第１木造ユニット２Ａの内部空間Ｒに中間床２５や内部柱２６（図３参照）を組み付けて第１木造ユニット２Ａの地組が完了となる。
ここで、第１木造ユニット２Ａの内部空間Ｒの施工は、例えば天井クレーン等を使用することで並行して進めることができるので、仮設材を低減することができるうえ、工期短縮を図ることができる。
【００３６】
次に、図５（ｂ）に示すように、第２工程において、第１昇降パレット５１Ａを昇降ジャッキ５２によってジャッキアップするとともに、巻上機５３によって第１昇降パレット５１Ａを巻き上げることで地組された第１木造ユニット２Ａを１層以上の高さに上昇させる。このとき、上昇位置にある第１昇降パレット５１Ａの下方には次に地組される第２木造ユニット２Ｂの組み立て作業スペースが形成された状態になる。
続いて、図５（ｃ）に示すように、第３工程において、ジャッキアップ装置５の第１昇降パレット５１Ａが上昇位置の状態（第１木造ユニット２Ａがジャッキアップされた状態）で、基礎部１１上に別の第２昇降パレット５１Ｂを備えたジャッキアップ装置５を設ける。そして、第２昇降パレット５１Ｂの上で第２木造ユニット２Ｂ（後行木造ユニット）を上述した第１木造ユニット２Ａと同様に地組する。
【００３７】
次に、図５（ｄ）、（ｅ）に示すように、第４工程において、第１木造ユニット２Ａを下降させて地組した第２木造ユニット２Ｂ上にロッキング支承３を介して一体的に連結する。つまり、図５（ｄ）に示すように、地組されている第２木造ユニット２Ｂの上面の所定の位置に複数のロッキング支承３を配置する。その後、第１木造ユニット２Ａを第１昇降パレット５１Ａとともにジャッキダウンさせ、ロッキング支承３上に第１木造ユニット２Ａを載置する。これにより第１木造ユニット２Ａの荷重は、ロッキング支承３を介して第２木造ユニット２Ｂで受けることになる。続いて、第１木造ユニット２Ａに対する支持が解除された第１昇降パレット５１Ａ、昇降ジャッキ５２、巻上機５３のワイヤを取り外す（図５（ｅ）参照）。
【００３８】
次いで、図５（ｆ）に示すように、第５工程において、一体的に連結された第１木造ユニット２Ａ及び第２木造ユニット２Ｂを昇降ジャッキ５２でジャッキアップするとともに、巻上機５３で巻き上げることで１層以上の高さとなるように上昇させる。このとき、上昇位置にある第２昇降パレット５１Ｂの下方には次に地組される第３木造ユニット２Ｃ（図１参照）の組み立て作業スペース（下方スペース）が形成された状態になる。
【００３９】
上述したような第１工程から第５工程の施工手順を順次繰り返すことで、木造積層建築物１を構成する複数層（本実施の形態では５層）の図１に示す木造ユニット２Ａ〜２Ｅを、それぞれのユニット間にロッキング支承３を介在させた状態で積層することができる。
【００４０】
さらに、図１に示すように、最下層となる第５木造ユニット２Ｅの地組が完了したら、第５木造ユニット２Ｅと基礎部１１との間にも複数のロッキング支承３を配置する。
また、５層の木造ユニット２Ａ〜２Ｅが積層された適宜なタイミングで、各木造ユニット２Ａ〜２Ｅの天版２２及び底版２３に形成される貫通孔２ｂに係留索４を挿通させて、その係留索４の下端部４ｂを基礎部１１に固定し、上端部４ａを第１木造ユニット２Ａの底版２３に固定することで、係留索４が設置され、木造積層建築物１の施工が完了となる。
なお、施工中の地震に備えて昇降パレット５１を係留索４を設置するまで残す、又は支承層（ロッキング支承３が設置される層）となる天版２２と底版２３との間に、仮設の係留索を設置する等の手順とすることも可能である。
【００４１】
次に、上述した木造ユニットを用いた木造積層建築物、及び木造積層建築物の施工方法の作用について、図面に基づいて詳細に説明する。
本実施の形態では、複数の木造ピース２１を枠状に組み合わせて外殻体を構成した木造ユニット２がユニット化されているので、全体の剛性を確保しつつも、木製により軽量な構造となることから、木造ユニット２を例えば積み木のように積み上げた構造となり、複数層にわたる積層構造を実現することができる。そして、木造ユニット２がユニット化されているので、効率よく施工を行うことができ、施工にかかるコストや工期を低減することが可能となる。
また、木造ピース２１を組み合わせることで木造ユニット２が構成されるため、建築物の用途や機能に合わせて自由な形状で、任意の箇所に自由に開口部等を設けた木造ユニット２を形成することができる。
【００４２】
さらに、本実施の形態では、柔節構造部１０によって木造ユニット２、２同士を層間変位自在に設けるとともに、上下方向に連結する構成となるので、木造積層建築物１を高さ方向に分節して柔らかい層を設けた構造となる。そのため、質量の偏在が平面的な捻れ挙動に繋がり難い構造となることから、上下に隣り合う木造ユニット２、２を互いに水平方向にずらした状態で積層することが可能となり、これにより光や風を取り入れることが可能な多様な空間を実現することができる。
【００４３】
また、本実施の形態では、積層される木造ユニット２、２同士の間に木製のロッキング支承３が設けられているので、地震力が作用した際に、水平力を受けるとロッキング支承３の束材が回転して層間変位を生じ、支持する鉛直力に応じた復元力で戻る作用が働く。そして、複数層に設けられるロッキング支承３の回転による大きな層間変位を累積して木造積層建築物１を長周期化することができる。
【００４４】
また、複数層の木造ユニット２を上下方向に貫通する係留索４が設けられているので、積層される木造ユニット２の転倒を抑制することができる。そして、基礎部１１と最上層の第１木造ユニット２Ａとを連結する係留索４が地震時に引張軸力を負担するため、軽量な木造ユニット２には、地震時に木造ユニット２に鉛直変位が生じるが、係留索４の引張軸力により木造ユニット２は基礎部１１側に引き戻されるため、木造ユニット２の浮き上がりが抑制される。
このように、ロッキング支承３と係留索４とを組み合わせた構成とすることで木造積層建築物１の高層化を実現することができる。
【００４５】
さらにまた、本実施の形態では、木造ユニット２において中間床２５が設けられた複数階（複数のフロア）からなる内部空間Ｒを構成することができる。木造ユニット２の内部空間Ｒ内において中間床２５の位置は任意に設定することが可能であるので、内部空間Ｒのデザインの自由度が高い構造となる。
【００４６】
また、本実施の形態では、軽量な木造ユニット２の内部空間Ｒに内部柱２６を設けることで、外殻体としての剛性を高めることができるうえ、軽量化された木造ユニット２の鉛直荷重を内部柱２６を介して下層の木造ユニット２に伝達することができる。
【００４７】
さらに、本実施の形態では、木造積層建築物１が軽量な木造ユニット２を複数層に積層する構造となることから、上述したように各木造ユニット２をジャッキアップ装置５を使用してジャッキアップする施工が可能となる。したがって、最上層の第１木造ユニット２Ａから順に地組してジャッキアップする手順で、先行木造ユニット２の下層側に後行木造ユニット２を積層することで効率よく施工することができ、工期の短縮を図ることができる。したがって、地組により木造ユニット２を組み立てることができ、さらに組み立てた木造ユニット２をクレーンで吊り上げるといった作業がなくなるので、大型のタワークレーンを設置する必要がなく、施工にかかるコストを低減できる。
【００４８】
上述のように本実施の形態による木造ユニットを用いた木造積層建築物、及び木造積層建築物の施工方法では、施工効率を向上させることで、施工にかかるコストや工期を低減することができ、さらに各層の内部構成を用途に合わせて任意に変更することができ、デザインの自由度を高めることが可能となる。
【００４９】
以上、本発明による木造ユニットを用いた木造積層建築物、及び木造積層建築物の施工方法の実施の形態について説明したが、本発明は上記の実施の形態に限定されるものではなく、その趣旨を逸脱しない範囲で適宜変更可能である。
例えば、本実施の形態では、複数（５つ）の木造ユニット２のすべてが同形状であり、上下方向に同軸に積層された構成の木造積層建築物１とされているが、このような構成であることに限定されることはない。例えば、木造ユニット２は鉄筋コンクリート造に比べて軽量であり、鉛直方向の荷重の負担が小さいことから、異なる形状の木造ユニット２を積層することが可能である。
例えば、係留索を接続する方法も重量や剛性バランスに合わせて自由に設計することができる。つまり、本実施の形態では基礎部から最上層までを連続して係留索４によって連結しているが、これに限定されることはなく、基礎部から中間層の区間のみを係留索で連結する構造や、中間層から最上層の区間のみを係留索で連結する構造、あるいは中間層の所定の２層間のみを係留索で連結する構成であってもよい。さらには、本実施の形態のような基礎部から最上層までの係留索４に加え、中間層から基礎部（最上層）の係留索を組み合わせた構成とすることも可能である。
【００５０】
また、本実施の形態ではジャッキアップ装置５を使用して各木造ユニット２を地組してジャッキアップすることで順次積層する施工方法としているが、このような施工方法に限定されることはない。また、ジャッキアップ方法についても、本実施の形態のようなジャッキアップ装置５を使用することに制限されることはない。したがって、タワークレーン等を設置して下層の木造ユニット２から順に上層の木造ユニット２を積み上げていく施工方法であっても勿論かまわない。
【００５１】
また、係留索４として、本実施の形態では鋼素線を撚り合わせたストランドワイヤーとしているが、これに限定されることはなく、平行ストランドワイヤーやナイロン等の高強度素材のものを採用することが可能である。
【００５２】
その他、本発明の趣旨を逸脱しない範囲で、上記した実施の形態における構成要素を周知の構成要素に置き換えることは適宜可能である。
【符号の説明】
【００５３】
１  木造積層建築物
２、２Ａ〜２Ｅ  木造ユニット
２ｂ  貫通孔
３  ロッキング支承（支承装置）
４  係留索
５  ジャッキアップ装置
１０  柔節構造部
１１  基礎部
２１  木造ピース
２２  天版
２３  底版
２４  側壁
２５  中間床
２６  内部柱
５１、５１Ａ、５１Ｂ  昇降パレット
５２  昇降ジャッキ
Ｒ  内部空間
Ｙ  上下方向
Ｘ  水平方向
【図１】
2018009360.tif 000003
【図２】
2018009360.tif 000004
【図３】
2018009360.tif 000005
【図４】
2018009360.tif 000006
【図５】
2018009360.tif 000007